(57)【要約】【課題】人の肌または髪を評価し、その結果、評価に基づいて適切なパーソナルケア製品を推薦するためのデバイスを提供すること。【解決手段】このデバイスは、複数の開口部を備えるハウジングと、複数の開口部のうちの第１の開口部を通して光を受けるように向けられたレンズを有する、ハウジング内部に保持されたカメラと、それぞれレンズの両側に位置する、少なくとも２つの発光ダイオードと、発光ダイオードを手動でスイッチオンにするためのアクティベータであって、複数の開口部のうちの第２の開口部を通してハウジングから突き出たアクティベータと、情報記憶ユニットと、カメラによって撮られた撮像された情報の無線伝送のための、ハウジング内部の伝送ユニットとを備える。【選択図】図１
0003163309.tif 000002
【実用新案登録請求の範囲】
【請求項１】
人の肌または髪を評価し、その結果、評価に基づいて適切なパーソナルケア製品を推薦するためのデバイスであって、
複数の開口部を備えるハウジングと、
複数の開口部のうちの第１の開口部を通して光を受けるように向けられたレンズを有する、ハウジング内部に保持されたカメラと、
それぞれレンズの両側に位置する、少なくとも２つの発光ダイオードと、
少なくとも２つの発光ダイオードを手動でスイッチオンにするためのアクティベータであって、複数の開口部のうちの第２の開口部を通してハウジングから突き出たアクティベータと、
情報記憶ユニットと、
カメラによって撮られた画像情報の無線伝送のための、ハウジング内部の伝送ユニットと
を備える、デバイス。
【請求項２】
複数の開口部のうちの第３の開口部を通してユーザが見ることができる表示スクリーンをさらに備える、請求項１に記載のデバイス。
【請求項３】
少なくとも２つの発光ダイオードが、画像を取り込むことに関連して、カメラによって自動的に作動可能ではない、請求項１に記載のデバイス。
【請求項４】
レンズを取り囲む凹面構造をさらに備える、請求項１に記載のデバイス。
【請求項５】
少なくとも２つの発光ダイオードの上に配置される偏光子をさらに備える、請求項１に記載のデバイス。
【請求項６】
ハウジングが先端部を備える、ハウジングの外側で、ユーザの指が先端部によって支えられることになるように配置されて指が同時にアクティベータを操作できるようにする先端部の下に、アクティベータが少なくとも部分的に配置される、請求項１に記載のデバイス。
【請求項７】
ハウジングが先端部を備える、複数の開口部のうちの第１の開口部が先端部の範囲まで延在する、請求項１に記載のデバイス。
【請求項８】
少なくとも２つの発光ダイオードのうちの１つが、ハウジングの先端部内に配置される、請求項７に記載のデバイス。
【請求項９】
少なくとも２つの発光ダイオードを覆い、ダイオードから光を拡散するように機能する透過性のプラスチックをハウジングの中にさらに備える、請求項１に記載のデバイス。
【考案の詳細な説明】
【技術分野】
【０００１】
本考案は、顧客の肌または髪の画像を取り込んで、顧客に適したパーソナルケア製品を決定するインテークデバイスに関する。
【背景技術】
【０００２】
小売販売店には、分かりにくいパーソナルケア製品が勢揃いしている。これらは、リーブオン型化粧品から洗浄配合物に及ぶことがある。典型的なリーブオン型は、フェイスケアまたはボディケアのローション／クリーム、およびカラー化粧品（たとえば、口紅、ファウンデーション、アイシャドウ、毛髪着色剤）である。洗浄配合物は、主に、シャンプー、ボディソープ、および化粧石鹸である。いかなるパーソナルケア製品であっても、それらはすべて非常に多くのブランドの下に入り、各々がさまざまに異なるサブブランドを持つ。顧客は、いかにして自分の肌または髪に必要な最も適切な製品を選択すべきであろうか。
【０００３】
店内に設けられた製品推薦表が、以前より利用可能である。顧客の入力に基づいた表は、あまり成功していない。いくつかのシステムは、操作および解釈するのが複雑である。他のシステムは、注目を集めることに失敗している。個人向け製品を推薦することができる、操作が簡単で、理解が簡単なシステムを提供するために、これまでに知られているものよりも望ましいシステムが必要である。
【０００４】
ＵＳ７１０４８００Ｂ２（Ｏｒｔｉｚ−Ｖａｌｅｒｏら）では、商品棚に取り付けられる診断装置（ｄｉａｇｎｏｓｔｉｃ  ａｒｔｉｃｌｅ）を説明している。その装置は、ミラーと、ミラーに沿ってまたはミラーに関連付けられて配置された複数の属性選択サイトであって、サイトのそれぞれが複数の選択セレクタを有する属性選択サイトと、選択セレクタからの入力に基づいて少なくとも１つのパーソナルケア製品を推薦するための出力とを含む。
【０００５】
ＵＳ２００３／００６５４５０Ａ１（Ｌｅｐｒｉｎｃｅ）では、毛髪着色情報を提供する装置を説明している。その装置は、データプロセッサと、被験者の老化した髪の割合を表す情報を受信し、被験者の自然な髪の色に関するさらなる情報を受信し、その情報に基づいて好適な毛髪着色製品に対する推薦を提供するデバイスとを備える。
【０００６】
ＥＰ１２０２２０９Ａ１（Ｇｏｔｏ）では、メイクアップのカウンセリング装置を報告している。その装置は、被験者を撮影するためのデジタルカメラと、被験者に光を当てるためのストロボと、撮影された画像を処理し、メイクアップについて被験者にカウンセリングするためのコンピュータシステムとを備える。
【先行技術文献】
【特許文献】
【０００７】
【特許文献１】米国特許第７１０４８００号明細書
【特許文献２】米国特許出願公開第２００３／００６５４５０号明細書
【特許文献３】欧州特許出願公開第１２０２２０９号明細書
【考案の概要】
【考案が解決しようとする課題】
【０００８】
上述したシステムは、どれも持ち運び可能ではない。これらの装置は、操作が簡単でもない。したがって、顧客の画像を取得し、画像を処理し、画像に基づいたパーソナルケア製品の推薦を提供する操作が単純でありながら、デバイスが持ち運び可能で軽量である、改良された装置およびシステムが必要である。
【課題を解決するための手段】
【０００９】
人の肌または髪を評価し、その結果、評価に基づいて適切なパーソナルケア製品を推薦するためのデバイスが提供され、このデバイスは、
複数の開口部を備えるハウジングと、
複数の開口部のうちの第１の開口部を通して光を受けるように向けられたレンズを有する、ハウジング内部に保持されたカメラと、
それぞれレンズの両側に位置（ｆｌａｎｋｉｎｇ）する、少なくとも２つの発光ダイオードと、
少なくとも２つの発光ダイオードを手動でスイッチオンにするためのアクティベータであって、複数の開口部のうちの第２の開口部を通してハウジングから突き出たアクティベータと、
情報記憶ユニットと、
カメラによって撮られた画像情報の無線伝送のための、ハウジング内部の伝送ユニットとを備える。
【００１０】
本考案のさらなる特徴、構造、および効果は、図面の考察から、さらに容易に明らかになるであろう。
【図面の簡単な説明】
【００１１】
【図１】デバイスの第１の実施形態の正面図である。
【図２】図１に示されたデバイスの上面図である。
【図３】図１に示されたデバイスの背面図である。
【図４】デバイスの第２の実施形態の正面斜視図である。
【図５】図４に示されたデバイスの背面斜視図である。
【図６】デバイスの第３の実施形態の正面斜視図である。
【図７】図６に示されたデバイスの背面斜視図である。
【考案を実施するための形態】
【００１２】
現在、潜在的な顧客の肌または髪の特徴の測定を小売環境内において可能にするハンドヘルドデバイスが開発されている。評価は、デバイスによる、顧客の肌または髪のデジタル画像の取得に基づく。一旦取り込まれると、撮像された情報としての画像は、デバイス内部のメモリチップに保存される、および／または重要な分析のためにリモート位置に伝送されることができる。ハウジングには、撮像された情報をリモート位置に無線伝送するための伝送ユニットが見られる。伝送は、電話無線モード、テキストメッセージモードにおいて、またはインターネット配信の仲介を通して行われてよい。
【００１３】
一旦画像がリモート位置で処理されると、次いで評価の結果が、デバイスにリモートで再伝送される。電話接続またはインターネット接続が、結果を小売環境にあるデバイスに送り返す。評価される肌の特徴の中には、しわ、しみ、色合い、色合いの均一性、毛穴、きめの粗さ、明るさ、および吹き出物などの属性があってよい。髪の画像の分析は、ふけ、つや、切れ毛、および頭皮の赤みの評価を伴ってよい。撮像された情報からの評価された属性に基づいて、リモート位置のコンピュータプログラムから、またはデバイスの情報記憶ユニット内部に保持された情報から、推薦が生成される。
【００１４】
図１は、ハウジング２を有するデバイスを示す。ハウジング内部には、いくつかの開口部がある。開口部のうち最も目立つものは、撮像目的に利用される第１の開口部４である。カメラ６は、ハウジング内部に保持され、レンズ８を特徴として備えている。第１の開口部により、レンズがハウジングの外側から撮像された光を受けることができる。
【００１５】
ボウルに似た凹面構造１０が、レンズ８を取り囲む。凹面構造は、入射光の光路を導くのに役立つ。より詳細には、この構造が、カメラが視野から無関係なものを排除するための望遠鏡のようなトンネルの働きをする。それにより、カメラは、評価のために識別される人の肌または髪の部分、もしくは範囲に焦点を合わせることができる。
【００１６】
図１に示される第１の実施形態は、２つの発光ダイオード１２、１４を特徴として備えている。ダイオードのそれぞれは、第１の開口部内で、レンズの両側に位置するように対向した側に配置される。他の実施形態は、より多くの発光ダイオード（ＬＥＤ）を含んでよい。これらのＬＥＤの数は、いくつかの実施形態においては、４、６、８、またはそれ以上の数であってよい。好ましい実施形態について、ＬＥＤは、昼光（たとえば、青色スペクトル４００ｎｍ光を有する）をシミュレートした高輝度を提供する。それに加えて、または代替として、ＵＶおよび／または近赤外線を生成するＬＥＤが採用されてよい。紫外線は、肌表面のすぐ下にある構造を撮像する能力を有する。近赤外線は、肌の水和に関する情報を提供することができる。透光性のプラスチックウィンドウ９が、ハウジングの中に配置され、ＬＥＤを覆う。ウィンドウ９は、検査される肌または髪の範囲に入射する光をより均一にするために、光を散乱する拡散器として機能する。透光性のレベルには、光を散乱するだけの十分さがなければならないが、プラスチックの覆いを通して光が透過されるのを防ぐだけの不十分さがなければならない。
【００１７】
ハウジング２は、突き出ている先端部１６を有する。図１に示されるような第１の実施形態では、先端部の範囲が第１の開口部４の一部を受け入れ、ＬＥＤ光のうちの１つを収容する。ＬＥＤは、補助的であるが必要な照明をカメラに提供して、潜在的な顧客の肌または髪を正しく評価できる画像を取得する。さらに通常のカメラとは異なり、ＬＥＤは、カメラのレンズが撮像された光を受けるために開いたときに、自動的には作動されない。その代わりに、ＬＥＤは手動で操作される。これは、先端部１６のすぐ下に配置されるアクティベータボタン１８を介して行われる。この位置にあることによって、指がアクティベータボタンを押すのと同時に、人差し指の支えを提供する。手動操作により、フラッシュタイプの照明に関連付けられた問題を排除する。アクティベータボタン１８は、ハウジングの第２の開口部２０から突き出ており、その中でオン／オフスイッチと接触する。
【００１８】
図２は、第１の実施形態であるデバイスの上面図である。最も目立つものは、さらなる開口部２２である。ボタンの形をしたオン／オフ電源スイッチ２４が、さらなる開口部を通してハウジングから突き出ている。ハウジング２は、接続部分３０に沿って接合される前面パネル２６および背面パネル２８から形成される。
【００１９】
情報記憶ユニット３２が、ハウジング内部に保持されている。情報は、ハウジングの第３の開口部３６を通してユーザが見ることができる表示スクリーン３４に表示されることができる。
【００２０】
さらに、伝送ユニット３８が、ハウジング内部に保持されている。ユニットは、無線伝送を送信／受信するように動作する。好ましい伝送ユニットは、無線電話デバイスである。代替として、これはボイスオーバインターネット接続の形態であることができる。カメラによって取得された画像は、一時的に情報記憶ユニット３２内部に記憶されることができる。その後、デジタル信号としての画像がリモート受信機に伝送される。リモート位置では、プログラムが、伝送された画像信号を分析する。１つまたは複数の肌または髪の属性が評価されることができる。その結果、コンピュータが、撮像された人の肌または髪の状態の診断を提供することができる。次いで、評価された欠陥を処置する、または予防的なケアを提供することができる製品が推薦されることができる。これらの適切な製品についての推薦および／または画像の分析に関する情報が、デバイスに送り返される。次いでこの情報は、表示スクリーン３４に表示されることができる。次いで結果が、潜在的な顧客に対して伝達される。
【００２１】
ハウジングの他の機能的な特徴には、表示スクリーン上のインターネット表示と相互作用するための「ホーム」ボタン４０を備える。システムを電気的に付勢するための充電ポート４２が、デバイスの下方端部の第５の開口部から突き出ている。
【００２２】
図４は、デバイスの第２の実施形態を示す。特徴には、撮像目的に利用される第１の開口部１０４を備えるハウジング１０２を含む。カメラ１０６が、ハウジング内部に保持され、レンズ１０８を備える。第１の開口部により、レンズがハウジングの外側から撮像された光を受けることができる。
【００２３】
凹面構造１１０が、レンズ１０８を取り囲む。レンズのまわりに目を形成する凹面構造および第１の開口部内の他の外側の範囲は、望まない反射を避けるために黒色コーティングを有する。２つから４つで一組の発光ダイオード（ＬＥＤ）１１２および１１４が、対向した側においてレンズの両側に位置する。通常のカメラとは異なり、ＬＥＤは、カメラのレンズが撮像された光を受けるために開いたときに、自動的には作動されない。その代わりに、ＬＥＤは手動で操作される。これは、カメラの下で、カメラに最も近いハウジングの片側に配置されるアクティベータボタン１１８を介して行われる。アクティベータボタン１１８は、ハウジングの開口部１２０から突き出ており、その中でオン／オフスイッチと接触する。
【００２４】
図５は、第２の実施形態の背面図を示す。情報記憶ユニット１３２が、ハウジング内部に保持されている。注目すべきは、ハウジングの第３の開口部１３６を通してユーザが見ることができる表示スクリーン１３４である。伝送ユニット１３８が、ハウジング内部に保持されている。ユニットは、無線データ伝送を送信／受信するように動作する。第２の実施形態は、第１の実施形態について説明されたのと本質的に同一に動作する。
【００２５】
デバイスの第３の実施形態が図６に示されている。特徴には、いくつかの開口部を有するハウジング２０２を含む。開口部のうち最も目立つものは、撮像目的に利用される第１の開口部２０４である。カメラ２０６が、ハウジング内部に保持され、レンズ２０８を特徴として備えている。８つ一組の白色光ＬＥＤ２１２が、レンズ２０８を取り囲んで、ハウジング２０２から外側に達する突出し構造２１０内部に配置される。偏光子スクリーン２１３が、ＬＥＤ２１２の外側で、ＬＥＤ２１２の前に配置される。偏光子およびすべての白色ＬＥＤは、つや、切れ毛、ふけ、および頭皮の赤みについて分析する髪を撮像するのに特に適している。
【００２６】
他の実施形態と同様に、ＬＥＤは、カメラのレンズが撮像された光を受けるために開いたときに、自動的には作動されない。その代わりに、ＬＥＤは手動で操作される。これは、ハウジングの片側に配置されるアクティベータボタン２１８を介して行われる。
【００２７】
図７は、第３の実施形態の背面図を示す。情報記憶ユニット２３２が、ハウジング内部に保持されている。情報は、ハウジングの第３の開口部２３６を通してユーザが見ることができる表示スクリーン２３４に表示されることができる。この実施形態は、第１および第２の実施形態と非常に類似しており、本質的に同一のやり方で動作する。
【符号の説明】
【００２８】
２、１０２、２０２  ハウジング
４、１０４、２０４  第１の開口部
６、１０６、２０６  カメラ
８、１０８、２０８  レンズ
９  透光性のプラスチックウィンドウ
１０、１１０  凹面構造
１２、１４、１１２、１１４、２１２  発光ダイオード（ＬＥＤ）
１６  先端部
１８、１１８、２１８  アクティベータボタン
２０  第２の開口部
２２  さらなる開口部
２４  オン／オフ電源スイッチ
２６  前面パネル
２８  背面パネル
３０  接続部分
３２、１３２、２３２  情報記憶ユニット
３４、１３４、２３４  表示スクリーン
３６、１３６、２３６  第３の開口部
３８、１３８  伝送ユニット
４０  ホームボタン
４２  充電ポート
１２０  開口部
２１３  偏光子スクリーン
【図１】
0003163309.tif 000003
【図２】
0003163309.tif 000004
【図３】
0003163309.tif 000005
【図４】
0003163309.tif 000006
【図５】
0003163309.tif 000007
【図６】
0003163309.tif 000008
【図７】
0003163309.tif 000009